(57)【要約】      （修正有）【課題】縦置きしたときに、棒状飯塊がずれ難い包装シート及びこの包装シートで棒状飯塊を包装してなる棒状包装飯塊を提供する。【解決手段】棒状飯塊７の周面を包み、矩形のフィルムを含むシート本体１１と、前記シート本体１１の側端縁より幅方向内側に熱溶着４４され、前記棒状飯塊７の端面を覆う被せフィルム４と、を具えた包装シートであって、前記シート本体１１の少なくとも一方の側端縁には、前記棒状飯塊７を包装したときに、前記棒状飯塊７の端面７２を支える垂れ止め６１を具える。【選択図】図３
2015098344.tif 000002
【特許請求の範囲】
【請求項１】
棒状飯塊７の周面を包み、矩形のフィルムを含むシート本体１１と、
前記シート本体１１の側端縁より幅方向内側に熱溶着４４され、前記棒状飯塊７の端面を覆う被せフィルム４と、
を具えた包装シートであって、
前記シート本体１１の少なくとも一方の側端縁には、前記棒状飯塊７を包装したときに、前記棒状飯塊７の端面７２を支える垂れ止め６１を具える、
ことを特徴とする包装シート。
【請求項２】
前記垂れ止め６１は、前記シート本体１１の巻き始め端１２から前記棒状飯塊７の周長までの位置に形成される、
請求項１に記載の包装シート。
【請求項３】
前記垂れ止め６１は、前記シート本体１１の側端縁内面に装着される接合面６３と、
前記接合面６３に連続し、前記棒状飯塊７を包装したときに、内周側に向けて突出する押え面６５と、
を具える請求項１又は請求項２に記載の包装シート。
【請求項４】
前記垂れ止め６１は、前記シート本体１１の巻き終わり端１４に貼着されるシール部材６に一体に形成される、
請求項１乃至請求項３の何れかに記載の包装シート。
【請求項５】
前記シート本体１１は、矩形の外フィルム２と内フィルム３との間にシート状食品５を挟み、前記外フィルム２と前記内フィルム３を前記シート状食品５の周縁にて熱溶着して形成される、
請求項１乃至請求項４の何れかに記載の包装シート。
【請求項６】
請求項１乃至請求項６の何れかに記載の包装シート１によって棒状飯塊７を包装してなる棒状包装飯塊であって、
前記被せフィルム４で前記棒状飯塊７の端面を覆い、前記シート本体１１を前記棒状飯塊７に巻き付けて包装したときに、前記垂れ止め６１が前記被せフィルム４と当接し、前記被せフィルム４を介して前記棒状飯塊７の端面７２を支えて、前記棒状飯塊７の移動を抑える、
ことを特徴とする棒状包装飯塊。
【発明の詳細な説明】
【技術分野】
【０００１】
本発明は、棒状飯塊を包装する包装シート及び棒状飯塊を包装シートで包装した棒状包装飯塊に関するものである
【背景技術】
【０００２】
棒状の飯塊を包装シートで包装してなる棒状包装飯塊が知られている。
出願人は、外フィルム、海苔などのシート状食品及び内フィルムからなるシート本体と、シート本体の側縁から突設され棒状飯塊の端面を覆う被せフィルムからなる包装シートを提案している（例えば、特許文献１参照）。
棒状飯塊は、内フィルムの長手方向に略直交するように載せ、被せフィルムで棒状飯塊の端面を覆い、シート本体を巻き付けることで包装される。
【０００３】
棒状包装飯塊は、販売等の際に陳列台に横置きして陳列されている。しかしながら、横置きすると、陳列スペースに限りがあるから棒状包装飯塊どうしを積み重ねざるを得ず、下側の棒状包装飯塊が押されて変形したり、棒状包装飯塊を取ろうとしたときに崩れてしまうことがある。また、陳列台が濡れている場合には、シート状食品が湿ってしまうことがある。
【０００４】
そこで、棒状包装飯塊を陳列の際に縦置きとすることが望まれる。これにより、上記問題を解決できると共に、棒状飯塊に入れられた具材を視認することができる。
【先行技術文献】
【特許文献】
【０００５】
【特許文献１】実用新案登録第３１７４９３８号公報
【発明の開示】
【発明が解決しようとする課題】
【０００６】
しかしながら、棒状包装飯塊を縦置きすると、棒状飯塊が下方にずれてしまう。棒状飯塊がずれると、見栄えが悪いだけでなく、包装を解く際にシート状食品が上手く棒状飯塊に被さらなくなることがある。
【０００７】
本発明の目的は、縦置きしたときに、棒状飯塊がずれ難い包装シート及びこの包装シートで棒状飯塊を包装してなる棒状包装飯塊を提供することである。
【課題を解決するための手段】
【０００８】
上記課題を解決するために、本発明の包装シートは、
棒状飯塊７の周面を包み、矩形のフィルムを含むシート本体１１と、
前記シート本体１１の側端縁より幅方向内側に熱溶着４４され、前記棒状飯塊７の端面を覆う被せフィルム４と、
を具えた包装シートであって、
前記シート本体１１の少なくとも一方の側端縁には、前記棒状飯塊７を包装したときに、前記棒状飯塊７の端面７２を支える垂れ止め６１を具える。
【０００９】
本発明に係る棒状包装飯塊は、
上記包装シート１によって棒状飯塊７を包装してなる棒状包装飯塊であって、
前記被せフィルム４で前記棒状飯塊７の端面を覆い、前記シート本体１１を前記棒状飯塊７に巻き付けて包装したときに、前記垂れ止め６１が前記被せフィルム４と当接し、前記被せフィルム４を介して前記棒状飯塊７の端面７２を支えて、前記棒状飯塊７の移動を抑える。
【発明の効果】
【００１０】
本発明の包装シート１及びこの包装シート１で包装した棒状包装飯塊８によれば、棒状包装飯塊８を縦置きしたときには、垂れ止め６１が棒状飯塊７の端面を下から支えるから、棒状飯塊７がずれてしまうことを防ぐことができる。従って、棒状包装飯塊８の見栄えを維持できる。また、包装を解く際にも棒状飯塊７がずれていないので、シート本体１１にシート状食品５を含む場合には、上手くシート状食品５を棒状飯塊７に巻き付けることができる。
【図面の簡単な説明】
【００１１】
【図１】図１は、本発明の一実施形態に係る包装シートを内フィルム側から見た分解斜視図である。
【図２】図２は、内フィルムと被せフィルムを溶着した状態を示す斜視図である。
【図３】図３は、本発明の一実施形態に係る包装シートに棒状飯塊を載せた状態を示す斜視図である。
【図４】図４は、図３の線Ａ−Ａに沿う包装シートの断面図である。
【図５】図５は、本発明の一実施形態に係る垂れ止めを形成したシール部材を貼着側から見た図である。
【図６】図６は、本発明の一実施形態に係る包装シートで棒状飯塊を包装してなる棒状包装飯塊を縦置きした状態を示す側面図である。
【図７】図７は、縦置きした棒状包装飯塊を斜め上方から見た斜視図である。
【図８】図８は、縦置きした棒状包装飯塊を斜め下方から見た部分斜視図である。
【図９】図９は、図６の線Ｃ−Ｃに沿う棒状包装飯塊の断面図である。
【図１０】図１０は、シール部材と共にカットテープを引っ張って、シール部材及び外フィルムを分断している状態を示す斜視図である。
【図１１】図１１は、図１０の後、包装シートを展開している状態を示す斜視図である。
【図１２】図１２は、図１１の後、一方の包装シートを引っ張ってシート状食品の一部を露出させた状態の斜視図である。
【図１３】図１３は、図１２の後、残る包装シートを引っ張り、シート状食品を棒状飯塊に巻き付けている状態を示す斜視図である。
【図１４】図１４は、垂れ止めの異なる実施例を示す斜視図である。
【図１５】図１５は、垂れ止めの異なる実施例を示す斜視図である。
【発明を実施するための最良の形態】
【００１２】
本発明は、棒状包装飯塊８を縦置きしたときに、棒状飯塊７が包装シート１からずれ落ちることを防止できるようにしたものである。
以下、本発明の一実施形態について図面を参照しながら説明する。
【００１３】
本発明の包装シート１は、図１に示すように、外フィルム２と内フィルム３との間に、シート状食品５を挟んで構成されたシート本体１１、棒状飯塊７(図４参照)の端面７２，７４を覆う被せフィルム４を熱溶着して構成される。なお、本実施形態においては、シート本体１１は、外フィルム２、シート状食品５及び内フィルム３から構成しているが、シート状食品５が不要である場合には、外フィルム２のみとしてもよい。
【００１４】
外フィルム２は、図１に示すように矩形のフィルムを例示できる。外フィルム２は、長手方向に対して直交する幅方向に、外フィルム２を幅方向に沿って分断することのできる分断可能部２１が形成されている。分断可能部２１として、外フィルム２の内面（シート状食品５側）にカットテープ２２を貼着や熱溶着したもの、ミシン目の如き断続的な切条を形成したもの、幅方向に容易に切断できる方向性フィルムを用いたものなどを例示することができる。なお、分断可能部２１として、ミシン目の如き断続的な切条を採用する場合、切条から湿気や異物が混入することを防ぐために、切条を覆う細幅のフィルムを分断可能部２１に沿って熱溶着等しておくことが望ましい。
【００１５】
図示の実施形態では、分断可能部２１は、カットテープ２２を貼着したものであり、カットテープ２２に沿う幅方向の一端又は両端には、分断を容易に行なうための短い切込み２３，２３が形成されている。
【００１６】
また、本実施形態の分断可能部２１は、棒状飯塊７に巻き付けたときに、包装シート１の巻き終わり端１４が分断可能部２１とは重ならないが、極めて近接する位置に形成している。もちろん、分断可能部２１の位置は本実施形態に限定されるものではない。
【００１７】
シート状食品５は、海苔を例示でき、その他、シート状に形成された昆布やおぼろ昆布、鯣など、薄手の食品であれば特に限定されるものではない。
シート状食品５は、後述するとおり、外フィルム２と内フィルム３とを熱溶着３５したときに、その熱溶着部３５よりも内側に配置される大きさに形成される。より具体的には、シート状食品５の幅は、棒状飯塊７の長さと略一致し、その長さは、少なくとも棒状飯塊７を一周する。
【００１８】
内フィルム３は、矩形の２枚のフィルム片３１，３２から構成することができ、外フィルム２の分断可能部２１の上で重なるように形成される。なお、内フィルムのフィルム片３１，３２どうしの重なり部分は単に重なっているだけでもよいし、簡単に剥離するようスポット的に熱溶着を施してもよい。また、内フィルム３は、１枚のフィルムから構成し、外フィルム２の分断可能部２１と重なる位置にミシン目の如き断続的な切条を形成し、分断可能となったものであってもよい。なお、ミシン目の如き断続的な切条を採用する場合、切条から湿気や異物が混入することを防ぐために、切条を覆う細幅のフィルムを切条に沿って熱溶着等しておくことが望ましい。
【００１９】
本実施例では、内フィルム３を構成するフィルム片３１，３２は、外フィルム２の分断可能部２１上で重なり部を有すると共に、重ねた状態でフィルム片３１，３２は、長さ方向の端縁が外フィルム２の端縁に略一致するよう形成している。
【００２０】
被せフィルム４は、図１乃至図３に示すように、内フィルム３の側端縁よりも幅方向内側に熱溶着４４され、内フィルム３から幅方向にはみ出したはみ出し部４２，４２を有している。はみ出し部４２，４２は、棒状飯塊７を包装したときに、棒状飯塊７の端面７２，７４を余裕をもって覆うことができる大きさとする。
【００２１】
より詳細には、被せフィルム４は、図２及び図３に示すように、棒状飯塊７への巻き始め端１２となる内フィルム３のフィルム片３１に熱溶着４４により接合している。熱溶着４４，４４は、図示の例では線溶着であるが、１又は複数の点溶着であってもよい。
【００２２】
熱溶着４４，４４どうしの間隔は、棒状飯塊７の長さよりも短くすることが望ましい。すなわち、棒状飯塊７を包装したときに、図３に示すように、熱溶着４４，４４が、棒状飯塊７の周面と対向する位置に形成する。この効果については後述する。もちろん、熱溶着部４４，４４は、棒状飯塊７の端面７２，７４と略一致する間隔で施してもよい。この場合、後述する外フィルム２と内フィルム３の熱溶着３５により、被せフィルム４の接合を同時に行なうようにすることもできる。
【００２３】
図示の実施形態では、被せフィルム４は、１枚のフィルムから形成しているが、被せフィルム４は２枚のフィルムから構成することもでき、この場合、夫々の被せフィルム４は、夫々がはみ出し部４２，４２となるように内フィルム３に熱溶着４４される。
【００２４】
上記の如く、被せフィルム４を接合した内フィルム３と、外フィルム２の内側にシート状食品５を載置し、図３及び図４に示すように、シート状食品５の周縁に沿って、外フィルム２と内フィルム３とを連続的に又は断続的に熱溶着３５等により接合する。
【００２５】
接合された外フィルム２の長手方向端部には、図３及び図４に示すように、巻き始め端１２とは逆側の巻き終わり端１４に、包装後に包装シート１を止着するシール部材６が貼着される。シール部材６は、外フィルム２と対向する面に糊などの接着剤が塗布されており、シール部材６は、外フィルム２の長手方向端部から一部がはみ出すように外フィルム２に貼着される。なお、シール部材６は、棒状飯塊７を包装した後に貼着するようにしてもよい。
【００２６】
なお、本実施形態では、棒状飯塊７を包装したときに、巻き終わり端１４が、分断可能部２１と重なりはしないが、略一致するようにしている。従って、シール部材６は分断可能部２１であるカットテープ２２を覆うこととなる。このため、カットテープ２２を引っ張って、分断可能部２１で外フィルム２をスムーズに分断するには、シール部材６も分断可能とする必要がある。そこで、図３に示すように、シール部材６には、カットテープ２２を挟むミシン目の如き断続的な２条の切条６４，６４を形成し、これら切条６４，６４間の切取り部６６が、カットテープ２２と共に切り離されるようにしている。なお、切取り部６６には接着剤を塗布しなくても構わない。
【００２７】
また、シール部材６には、図３及び図５に示すように、棒状飯塊７を包装したときに、被せフィルム４を介して棒状飯塊７を押さえ、縦置きしたときに棒状飯塊７が下方にずれてしまうことを防止する垂れ止め６１が形成されている。
【００２８】
より詳細には、垂れ止め６１は、内フィルム３の側端縁内面に折り曲げられて、内フィルム３に装着される接合面６３と、包装状態（図８及び図９参照）で内周側に向けて突出する押え面６５とを有する構成を例示できる。
【００２９】
垂れ止め６１は、包装を解く際に、シール部材６から分断される必要がある。そこで、シール部材６と垂れ止め６１との間には、ミシン目の如き断続的な切条からなる折曲げ部６２を形成している。この折曲げ部６２を形成することで、垂れ止め６１を折り曲げやすくすることができる。
【００３０】
垂れ止め６１の接合面６３は、内フィルム３に貼着することができる。この場合、接合面６３には内面側に接着剤が塗布される。接合面６３の長さは、内フィルム３の側端縁から包装時に棒状飯塊７の端面７２に届く長さと略一致するように形成する。
【００３１】
押え面６５は、接合面６３から略垂直に起立するよう折り曲げられている。なお、図１、図３及び図５は、押え面６５は未だ折り曲げられていない状態であるが、包装前又は包装時に折り曲げられる（図８及び図９参照）。もちろん、予め押え面６５を接合面６３に対して折り曲げておいてもよい。
【００３２】
押え面６５は、棒状飯塊７の直径の３分の１以上とすることが好適である。図示のように、押え面６５を接合面６３により片持ち支持する場合は、押え面６５は、棒状飯塊の直径の２分の１以下の長さとすることが好適である。また、押え面６５の幅は、５ｍｍ〜１５ｍｍ程度が好適である。
なお、押え面６５は、被せフィルム４と当接することとなるが、この当接面に接着剤の塗布は施さなくてもよい。
【００３３】
棒状飯塊７は、白米の塊、具材７８を巻いたもの、かやくご飯などを棒状に固めたものであり、図示の実施例では断面略円形としている。棒状飯塊７は、三角柱状や四角柱状、楕円柱状等であってもよい。
【００３４】
上記構成の包装シート１により、棒状飯塊７は包装される。
【００３５】
より詳細には、図３に示すように、内フィルム３側を上向きにして、巻き始め端１２側の端部近傍に棒状飯塊７を載せる。なお、被せフィルム４が内フィルム３を幅方向に横断するように形成されている場合には、被せフィルム４の上に棒状飯塊７を載せることとなる。
【００３６】
次に、被せフィルム４のはみ出し部４２，４２を図３中矢印Ｂで示すように、棒状飯塊７の端面７２，７４に被せて夫々内側に折り返す。このとき、被せフィルム４は、棒状飯塊７の端面７２，７４よりも内側で内フィルム３のみに熱溶着した構成とすることで、はみ出し部４２，４２は外フィルム２を引っ張ることはなく、また、被せフィルム４のはみ出し部４２，４２により棒状飯塊７の端面７２，７４を包んだときの皺を発生し難くすることができる。
【００３７】
この後、包装シート１を棒状飯塊７の周面に巻き付ける。包装シート１を棒状飯塊７に巻き付けた後、巻き終わり端１４を包装シート１にシール部材６で止着する。なお、図示では、予め包装シート１の巻き終わり端１４に垂れ止め６１を形成したシール部材６を貼着しているが、包装シート１を巻き終えた後にシール部材６を貼着するようにしてもよい。
【００３８】
シール部材６は、切取り部６６が、外フィルム２の分断可能部２１と対向するよう外フィルム２に貼着される。
【００３９】
続いて、垂れ止め６１を接合面６３と押え面６５で折り曲げていない場合には接合面６３に対して押え面６５を折り曲げる。そして、垂れ止め６１を折曲げ部切条６２で内側に折り曲げ、接合面６３を内フィルム３に貼着する。本実施形態では、垂れ止め６１をシール部材６と一体に形成しているから、別途垂れ止め６１を取り付ける場合に比べて、作業を簡略化することができる。
【００４０】
上記によって、棒状飯塊７は、図６乃至図９に示すように、包装シート１により包装されて、棒状包装飯塊８を得ることができる。
【００４１】
図６、図７及び図９に示すように、棒状包装飯塊８は、縦置きすると、垂れ止め６１の押え面６５が被せフィルム４を介して棒状飯塊７を下方から支える（特に図９）。従って、棒状飯塊７が下方にずれてしまうことを防止できる。
【００４２】
棒状包装飯塊８を縦置きできることで、棒状包装飯塊８を手に取らずとも上から視認することで具材７８を確認できる。また、縦置きできることで、陳列台と接触するのは、包装シート１の端縁だけとなる。従って、横置きで陳列する場合に比べて、陳列台との接触面積を小さくすることができ、また、陳列台が濡れていても、シート状食品５は、陳列台から離れているから、湿ってしまうこともなく、衛生面でもすぐれる。
【００４３】
上記棒状包装飯塊８の包装を解くには、まず、図１０に示すように、シール部材６の切取り部６６の端部を摘んで引っ張り、シール部材６を分断する。
【００４４】
続いて、同様に外フィルム２の切込み２３，２３側からカットテープ２２の端部を摘んで、外フィルム２を幅方向に分断する。
【００４５】
そして、図１１に示すように、包装シート１を巻き終わり端１４側から展開する。シール部材６と垂れ止め６１は、包装シート１の展開により跨いでいた包装シート１どうしの重なりが解かれる際に、折曲げ部６２にて分断される。本実施形態では、折曲げ部６２をミシン目の如き断続的な切条から構成しているため、折曲げ部６２の分断も容易である。
【００４６】
包装シート１を展開した後、巻き始め端１２側の包装シート１を棒状飯塊７を掴むように外側から握り、図１２に示すように、巻き終わり端１４側の包装シート１を図中矢印αで示すように引っ張ると、図９に示すように、包装シート１は、巻き終わり端１４側の既に分断された外フィルム２とこれに熱溶着３５された内フィルム３のフィルム片３２が一緒に引き出されて、シート状食品５の略半分が露出する。
【００４７】
その次に、露出したシート状食品５の上に棒状飯塊７を転がし、シート状食品５の上から棒状飯塊７を掴みつつ、図１３中矢印βで示すように残りの外フィルム２と内フィルム３のフィルム片３１を引っ張ることで、シート状食品５が完全に包装シート１から引き出される。その後、シート状食品５を棒状飯塊７に巻き付ければよい。棒状飯塊７は、垂れ止め６１によりずれることなく維持されているから、シート状食品５を巻き付けるときにも、シート状食品５が棒状飯塊７に対してずれて巻き付けられることも防止できる。
【００４８】
上記説明は、本発明を説明するためのものであって、特許請求の範囲に記載の発明を限定し、或いは範囲を限縮するように介すべきではない。また、本発明の各部構成は、上記実施例に限らず、特許請求の範囲に記載の技術的範囲内で種々の変形が可能であることは勿論である。
【００４９】
たとえば、上記実施形態では、垂れ止め６１は、棒状飯塊７の一方のみに配置されているが、両方に配置することで、上下方向を気にすることなく縦置きすることができる。垂れ止め６１は、棒状飯塊７の一方に複数配置することもできる。
【００５０】
また、上記実施形態では、垂れ止め６１は、シール部材６と一体に形成しているが、図１４に示すように、シール部材６とは別に形成し、棒状飯塊７を包装シート１で包装した後、内フィルム３の側端縁に取り付けるようにしてもよい。
【００５１】
さらに、図１５に示すように、垂れ止め６１は、押え面６５の両端に接合面６３，６３を設けてもよい。この場合、押え面６５は、棒状飯塊７の直径と略同じ長さとする。このように構成することで、押え面６５の強度を高めることができるから、棒状飯塊７の下方への移動を効果的に抑えることができる。
【００５２】
なお、上記実施形態における包装シート１の構成は一例であり、たとえば、分断可能部２１の構成や位置、展開方法などは上記実施形態に限定されるものでないことは勿論である。
【符号の説明】
【００５３】
１  包装シート
１１  シート本体
２  外フィルム
３  内フィルム
４  被せフィルム
４２  はみ出し部
５  シート状食品
６シール部材
６１  垂れ止め
６３  接合面
６５  押え面
７  棒状飯塊
８  棒状包装飯塊
【図１】
2015098344.tif 000003
【図２】
2015098344.tif 000004
【図３】
2015098344.tif 000005
【図４】
2015098344.tif 000006
【図５】
2015098344.tif 000007
【図６】
2015098344.tif 000008
【図７】
2015098344.tif 000009
【図８】
2015098344.tif 000010
【図９】
2015098344.tif 000011
【図１０】
2015098344.tif 000012
【図１１】
2015098344.tif 000013
【図１２】
2015098344.tif 000014
【図１３】
2015098344.tif 000015
【図１４】
2015098344.tif 000016
【図１５】
2015098344.tif 000017